(57)【要約】【課題】  カメラの設計の自由度を高めて、カメラを小型化する。【解決手段】  カメラ本体における被写体側の面を構成する第１の外装部材（１１）を有し、該第１の外装部材における第１の領域は他の領域よりも被写体側に突出してグリップ部（１１ｂ）を構成しており、該第１の領域に、ストラップ（１０）を装着するための装着部（１１ｃ）が設けられていることを特徴とするカメラ。【選択図】  図１
2006039332.tif 000002
【特許請求の範囲】
【請求項１】
カメラ本体における被写体側の面を構成する第１の外装部材を有し、
該第１の外装部材における第１の領域は他の領域よりも被写体側に突出してグリップ部を構成しており、
該第１の領域に、ストラップを装着するための装着部が設けられていることを特徴とするカメラ。
【請求項２】
前記装着部は、撮影光軸方向視において、前記カメラ本体の外周より内側に設けられていることを特徴とする請求項１に記載のカメラ。
【請求項３】
前記装着部は、前記第１の領域の外面よりも内側に形成されていることを特徴とする請求項１又は２に記載のカメラ。
【請求項４】
前記被写体側の面は、樹脂製の第２の外装部材と、該第２の外装部材に取り付けられた金属製の前記第１の外装部材とにより構成されていることを特徴とする請求項１から３のいずれか１つに記載のカメラ。
【請求項５】
前記第１の外装部材は、前記第２の外装部材の裏面に係合する係合部を有することを特徴とする請求項４に記載のカメラ。
【発明の詳細な説明】
【技術分野】
【０００１】
本発明は、グリップ部を有するカメラに関する。
【背景技術】
【０００２】
銀塩カメラ、デジタルカメラ及びデジタルビデオカメラは、使用者が手に持って使用することができる。このため、使用時に手が滑り、誤ってカメラが落下して破損するおそれがある。
【０００３】
そこで、カメラの落下を防止するために、使用者の手首とカメラ本体を連結するハンドストラップ、カメラ本体を使用者の首や肩から吊り下げるネックストラップやショルダーストラップを備えたカメラが提案されている。
【０００４】
これらのハンドストラップ、ネックストラップ、ショルダーストラップ（以下これらをまとめて“ストラップ”いう）を取り付けるために従来のカメラは、以下のような構成をしている。
【０００５】
図４及び図５を用いて従来のストラップ取付け部の構成を説明する。図４はストラップ取り付け部を有したデジタルカメラの背面図、図５は図4におけるストラップ取り付け部の断面図である。
【０００６】
図４において４１は貫通形状のストラップ取り付け部であり、使用者はこの部分にストラップの紐を通すことによりストラップを取り付ける。
４２は液晶表示画面であり、使用者は撮影時この液晶表示画面４２に表示された被写体を見ながら撮影することができる。また、この液晶表示画面４２に、不図示の記録媒体に記録された撮影画像を表示させ、撮影画像を確認することもできる。
【０００７】
４３は複数の操作部材であり、これらの操作部材４３を操作することにより、撮影時のストロボ、ドライブモード、画像サイズ及びAFモードを設定したり、液晶表示画面４２に表示される撮影画像を拡大することができる。
【０００８】
４４は不図示の記録メディアが着脱可能に装着される記録メディア室を開閉可能に覆う蓋部材であり、カメラ本体に対して回動可能に取り付けられている。
【０００９】
ここで、従来のストラップ取り付け部を形成するためには、図５に示すようにカメラ本体に貫通形状の開口部を設ける必要があるため、カメラ本体内のスペースを広く必要としていた。
【００１０】
また、図６に示すように樹脂で形成された外装部材に凸形状のストラップ取付け部を設けたカメラが提案されている。
【特許文献１】特開２００４−１５３４２９号公報（段落０００９、段落００１０、第１図、第２図）
【発明の開示】
【発明が解決しようとする課題】
【００１１】
しかし、図５に示すように、カメラの外装部材に貫通形状のストラップ取付け部を設けるためには、この部分のカメラ外装の厚みを大きく設定しなければならない。そのため、外装部材のうちストラップ取付け部に対応した部分が、他の部分よりも、カメラの内側に突出し、カメラ本体内のスペースを狭めていた。その結果、カメラに組み込まれる不図示の電気基板を外装部材との重複を避けるような形としなければならず、結果的にカメラの小型化、内装部品の設計の自由度を妨げていた。
【００１２】
また、図６に示すカメラでは、カメラの落下や、ストラップの引きなどを考慮して、ストラップ取り付け部６１を亜鉛ダイキャストやアルミなどの外装部材とは異なる金属製の別部材とする必要がある。このため、ストラップ取り付け部のカメラ本体への取り付け構成が複雑となり、コストの増大を招いていた。
【課題を解決するための手段】
【００１３】
上記の課題を解決するために、本発明のカメラは、カメラ本体における被写体側の面を構成する第１の外装部材を有し、該第１の外装部材における第１の領域は他の領域よりも被写体側に突出してグリップ部を構成しており、該第１の領域に、ストラップを装着するための装着部が設けられていることを特徴とする。
【発明の効果】
【００１４】
本願発明の第１の構成によれば、第１の外装部材にグリップ部とストラップの装着部という二つの役割を持たすことができる。さらに、装着部が第１の外装部材に設けられているため、装着部とカメラに組み込まれる内装部品との干渉を考慮する必要がなくなる。これにより、カメラの設計の自由度が高まり、カメラを小型化することができる。
【発明を実施するための最良の形態】
【００１５】
以下本発明の実施例について図１、図２、及び図３を用いて説明する。
図１は本実施例のデジタルカメラの斜視図であり、図２は図１のデジタルカメラの正面図、図３は図２のストラップ取り付け部の断面図である。
【００１６】
図１において、１０は後述するストラップ開口部１１ｃに取り付けられるストラップであり、このストラップ１０をカメラ使用者が使用時に手首に通すことによりカメラの落下を防止できる。
【００１７】
１１は、カメラ外装を構成する第１のフロント外装部材（第１の外装部材）であり、この第１のフロント外装部材１１の裏側には、図３に示すようにフック形状の係合突起部１１aが形成されており、この係合突起部１１aは、第２のフロント外装部材（第２の外装部材）の裏面に引っ掛かるようになっている。
【００１８】
係合突起部１１a及び第２のフロント外装部材１２の係合作用により、第１のフロント外装部材１１が第２の外装部材１２に対して固定され、カメラのフロント外装が構成される。上述の構成によれば、第１及び第２の外装部材１１、１２を連結するために、ねじ止めの必要がなくなり、ストラップ１０の引きにも強い構造となる。
【００１９】
第１及び第２のフロント外装部材１１、１２はそれぞれ、金属及び樹脂により形成されており、第１のフロント外装部材１１のほうが第２のフロント外装部材１２よりも機械的強度が高く設定されている。
【００２０】
第１のフロント外装１１のうちカメラ前面に向かって左側の部分には、他の部分よりも被写体側に突出した突出部１１ｂ（第１の領域）が形成されている。使用者は、カメラを保持する際に、この突出部１１ｂに指を引っ掛けることができるため、グリップ性能を高めることができる。
【００２１】
さらに、突出部１１ｂには、ストラップ１０が取り付けられる貫通形状のストラップ開口部１１ｃが形成されている。このストラップ開口部１１ｃは、図２に示すように光軸方向視において、カメラ本体の外周よりも内側に設けられている。このように、本実施例では、ストラップ開口部１１ｃがカメラ本体の外側へ突出していないため、従来例のような余計な突起部を無くすることができる。
【００２２】
１３はレンズ鏡筒であり、カメラ内に収容される撮影には用いられない格納領域とカメラの前面から突出する撮影領域との間を進退する。レンズ鏡筒１３から入射した光は、不図示の撮像素子（例えば、CCDセンサ、CMOSセンサ）の撮像面に結像し、画像信号に光電変換される。この光電変換された画像信号は撮像素子から出力され、不図示の記録メディアに記憶される。
【００２３】
また、１４は第２のフロント外装部材１２に組み込まれたストロボ発光部であり、撮影時に被写体へストロボ発光光を照射する。１５は、ストロボ発光部１４の左側に形成された光学ファインダーであり、使用者が被写体を観察するために使用される。
【００２４】
１６はレリーズボタンであり、第１ストローク操作で撮影準備動作（測光動作及び焦点検出動作）が開始され、第２ストローク操作で撮影動作（撮像素子への露光及び撮像素子から出力される画像信号の記録媒体への記録）が開始される。
【００２５】
次に、図２及び図３を用いてストラップ開口部１１ｃについて詳細に説明する。
ストラップ開口部１１ｃは、第１の外装部材１１におけるカメラ前面に向かって左側の部分に形成されており、図３に示すようにカメラの上方からその断面を視ると略L字形状となっている。そして、この第１の外装部材１１の裏面（カメラ側の面）には、さらに第２の外装部材１２が取り付けられている。
【００２６】
このように、本実施例では、ストラップ開口部１１ｃが第２の外装部材１２よりもカメラの外側に配置されているため、電気回路基板１７をカメラの内側に組み込むときに、ストラップ開口部１１ｃとの干渉を考慮する必要がない。その結果、設計の自由度が高まり、カメラを小型化することができる。
【００２７】
また、カメラのフロント外装を構成する第１の外装部材１１のうち、グリップ部として機能する突出部１１ｂにストラップ開口部１１ｃを設けているため、一つの部材に２つの機能を持たせることができる。
【００２８】
さらに、図３に示すように突出部１１ｂの外面１１１ｂよりも内側に、ストラップ開口部１１ｃが形成されているため、従来例のような余計な突起部を無くすることができる。
【００２９】
なお、第１のフロント外装部材１１のうちカメラ前面に向かって左側の端面に、ストラップ開口部を有する凸部を形成することにより、ストラップ１０の装着部としてもよい。
【図面の簡単な説明】
【００３０】
【図１】実施例におけるカメラの斜視図。
【図２】実施例におけるカメラの正面図。
【図３】ストラップ開口部の断面図。
【図４】従来例のカメラの背面図。
【図５】従来例のカメラのストラップ取付け部の断面図。
【図６】従来例のカメラの斜視図である。
【符号の説明】
【００３１】
１０  ストラップ
１１  第１の外装部材
１２  第２の外装部材
１３  レンズ鏡筒
１４  ストロボ発光部
１５  光学ファインダー
１６  レリーズスイッチ
１７  電気回路基板
【図１】
2006039332.tif 000003
【図２】
2006039332.tif 000004
【図３】
2006039332.tif 000005
【図４】
2006039332.tif 000006
【図５】
2006039332.tif 000007
【図６】
2006039332.tif 000008